(57)【要約】  【課題】  設置の手間の煩雑性を解消することができる、小型の音声通知装置を提供する。  【解決手段】  音声通知装置１は、受光した光により発電する板状の光発電部３と、前記光発電部で発電された電力を蓄積する蓄電部１１と、音声を出力する音声出力部８と、人の接離を検出する人感センサ９と、前記人感センサ９により所定の範囲内に人が近接したときに前記蓄電部１１に蓄えられた電力により音声信号を生成し、前記音声信号に基づいて前記音声出力部により音声を発生するように制御する制御部１０と、前記蓄電部１１、音声出力部８、制御部１０を収容するケーシング５と、を備える【選択図】  図１
2012003645.tif 000002
【特許請求の範囲】
【請求項１】
受光した光により発電する板状の光発電部と、
前記光発電部で発電された電力を蓄積する蓄電部と、
音声を出力する音声出力部と、
人の接離を検出する人感センサと、
前記人感センサにより所定の範囲内に人が近接したときに前記蓄電部に蓄えられた電力により音声信号を生成し、前記音声信号に基づいて前記音声出力部により音声を発生するように制御する制御部と、
前記蓄電部、音声出力部、制御部を収容するケーシングと、
を備えることを特徴とする、音声通知装置。
【請求項２】
前記ケーシングは、開口を有する有底容器状に形成され、
前記光発電部は、前記ケーシングの開口を密閉するように前記ケーシングに固定されていることを特徴とする、請求項１に記載の音声通知装置。
【請求項３】
前記人感センサは、前記ケーシング外にケーブルを介して設けられていることを特徴とする、請求項１又は２に記載の音声通知装置。
【請求項４】
受光した光により発電する板状の光発電部と、
前記光発電部で発電された電力を蓄積する蓄電部と、
音声を出力する音声出力部と、
予め決められたタイミングで前記蓄電部に蓄えられた電力により音声信号を生成し、前記音声信号に基づいて前記音声出力部により音声を発生するように制御する制御部と、
前記蓄電部、音声出力部、制御部を収容するケーシングと、
を備えることを特徴とする、音声通知装置。
【発明の詳細な説明】
【技術分野】
【０００１】
本発明は、近隣に存在する人物に音声情報を通知するための音声通知装置に関する。
【背景技術】
【０００２】
従来所定の検知エリア内に人物が侵入すると、警告音を発生する装置が知られている。このような装置は、例えば、特許文献１に開示されている。
【０００３】
特許文献１に記載のセキュリティシステムは、所定のエリア内に浸入した被検知体を検知するセンサと、警報を発する警報器と、システムの電源となる太陽電池と、システムを制御し太陽電池から出力される電気エネルギーを蓄電するための蓄電池を収納する制御盤を備え、制御盤と太陽電池とセンサと警報器がそれぞれモジュラーケーブルで接続されたものである。
【０００４】
上記システムは、それぞれの機器を別々に適した箇所へ設置でき、機能に適した設置位置を設定することができ、また、太陽電池を利用することでシステムに必要な電力を得るため、外部電源が不要となる。
【先行技術文献】
【特許文献】
【０００５】
【特許文献１】特開平１１−１９１１８７号公報
【発明の概要】
【発明が解決しようとする課題】
【０００６】
しかし、上記装置は、システムを構成するそれぞれの装置が別々に構成されており、装置ごとに取り付ける必要があるため、設置の手間が煩雑であり、システム全体として大型なものとなり、コスト上の問題もある。
【０００７】
また、上記セキュリティシステムは、それぞれの装置を別に設けることで、防犯を強化するものであるが、所定エリア内に存在する人物を検知して音声を発生する装置としては、必ずしも防犯目的に使用されるものである必要はない。上記装置は、防犯目的として使用される場合にはより高度な目的を実現することができる場合もあるが、上記の設置の手間の煩雑性、装置の大型化、高コスト化は問題となる場合がある。
【０００８】
本発明は、上記設置の手間の煩雑性を解消することができる、小型の音声通知装置を提供することを目的とする。
【課題を解決するための手段】
【０００９】
本発明は、上記課題を解決するために、以下の構成の音声通知装置を提供する。
【００１０】
本発明の第１態様によれば、受光した光により発電する板状の光発電部と、
前記光発電部で発電された電力を蓄積する蓄電部と、
音声を出力する音声出力部と、
人の接離を検出する人感センサと、
前記人感センサにより所定の範囲内に人が近接したときに前記蓄電部に蓄えられた電力により音声信号を生成し、前記音声信号に基づいて前記音声出力部により音声を発生するように制御する制御部と、
前記蓄電部、音声出力部、制御部を収容するケーシングと、
を備えることを特徴とする、音声通知装置を提供する。
【００１１】
本発明の第２態様によれば、前記ケーシングは、開口を有する有底容器状に形成され、
前記光発電部は、前記ケーシングの開口を密閉するように前記ケーシングに固定されていることを特徴とする、第１態様の音声通知装置を提供する。
【００１２】
本発明の第３態様によれば、前記人感センサは、前記ケーシング外にケーブルを介して設けられていることを特徴とする、第１又は第２態様の音声通知装置を提供する。
【００１３】
本発明の第４態様によれば、受光した光により発電する板状の光発電部と、
前記光発電部で発電された電力を蓄積する蓄電部と、
音声を出力する音声出力部と、
予め決められたタイミングで前記蓄電部に蓄えられた電力により音声信号を生成し、前記音声信号に基づいて前記音声出力部により音声を発生するように制御する制御部と、
前記蓄電部、音声出力部、制御部を収容するケーシングと、
を備えることを特徴とする、音声通知装置を提供する。
【発明の効果】
【００１４】
本発明によれば、受光した光により発電する板状(フィルム状又はパネル状)の光発電部によって発電された電力を蓄積する蓄電部を備えており、当該蓄電部の電力により装置を駆動させるため、装置駆動を安定化させることができる。したがって、外部電源の設置の必要がない。また、蓄電部と制御部と音声出力部とが１つのケーシングに収納されていることにより、ケーシングを含む本体部分を所望の位置に設置し、光源に向けて板状の光発電部を設けるだけでよい。したがって、装置駆動のための電力供給をより効率よく行ないながら、装置全体の設置を簡単にすることができる。
【００１５】
本発明の第２態様によれば、ケーシングに光発電部が一体的に構成されているため、単一の装置を設置するだけでより簡単に取り付けを行うことができる。
【００１６】
本発明の第３態様によれば、人感センサがケーシングに収納されておらず、ケーブルを介して自由な方向に設置することができるので、検出エリアの設定をより自由に行う事ができる。
【図面の簡単な説明】
【００１７】
【図１】本発明の第１実施形態に係る音声通知装置の全体概略図である。
【図２】図１の音声通知装置の機能ブロック図である。
【図３】本発明の第２実施形態に係る音声通知装置の全体概略図である。
【図４】図３の音声通知装置の分解図である。
【図５】図３の音声通知装置の裏面側から見た斜視図である。
【図６】図３の音声通知装置の機能ブロック図である。
【発明を実施するための形態】
【００１８】
以下、本発明の実施の形態について、図面を参照しながら詳細に説明する。
【００１９】
（第１実施形態）
図１は、本発明の第１実施形態にかかる音声通知装置の全体概略図である。図１に示す音声通知装置１は、箱状の本体２と太陽電池パネル３とを備えており、これらがケーブル４で接続された構成である。
【００２０】
音声通知装置１は、小型の本体２を通路近辺などに設置し、当該通路を人間が通る際に音声により当該人間に情報を提供するものである。例えば、工事現場の入口などに設けることにより、入口から現場に入場する作業員に「ヘルメットはつけましたか。」、「安全に注意しましょう。」等の注意を喚起する音声を発生させることができる。また、例えば、動物園、水族館、美術館などの展示を行なう場所において、展示物の簡単な説明の音声を発生させることができる。
【００２１】
音声通知装置１の本体２は、おおむね幅寸法が１０ｃｍ程度の厚み方向に扁平な箱形状のケーシング５を備えており、ケーシング５の正面６に音声発生部の一例としてのスピーカ８が設けられている。本実施形態にかかる音声通知装置１では、人間が所定の領域内に存在するかどうかを検知するための人感センサ９がさらに設けられている。
【００２２】
また、太陽電池パネル３は、本実施形態では、アモルファスシリコンの太陽電池モジュール２枚を並列に接続し、エネルギーやコスト的に効果を持たせている。なお、太陽電池の種類及び設置枚数は限定されるものではなく、結晶シリコンの太陽電池や薄膜系太陽電池を用いてもよい。
【００２３】
ケーシング５に接続されたケーブル４は、太陽電池パネル３で発電された電力を本体２に収容されている内部回路に供給するものである。ケーシング５内に収納されている回路については、後述する。
【００２４】
スピーカ８は、小型のものが用いられており、後述する内部回路により生成された音声信号に基づいて音声を発生する。
【００２５】
人感センサ９としては、赤外線センサ又は光センサ等を用いることができる。赤外線センサは、所定の検知エリア内の人体から放射される熱線を検知することで、人間の在否を検出する焦電型のセンサが用いられている。ケーシング５の表面６には、人感センサ９の検出端子が露出した状態に設けられている。また、光センサは、周囲の明るさを測定するものであり、所定以上の明度を検知すると、信号を出力する。たとえば、光センサの前を人物が横切った場合、これによりセンサへの光の照射が途切れて明度の閾値を超えることにより、人の存在を検知することができる。
【００２６】
図２は、図１の音声通知装置の機能ブロック図である。音声通知装置１には、本体２のケーシング５内部に、スピーカ８、人感センサ９，制御部１０，コンデンサ１１，音声合成部１２、アンプ部１３が設けられている。
【００２７】
制御部１０は、人感センサ９からの検出信号を受信して、後述するとおり、装置全体の動作制御を行なう。本実施形態では、制御部１０は、集積回路で構成されており、予め動作プログラムが内部に記憶されている。
【００２８】
蓄電部の一例としてのコンデンサ１１は、太陽電池パネル３により発電された電力を蓄積する。本実施形態で用いられているコンデンサ１１は、小型のものであり、静電容量としては、１Ｆ程度のものが好適に用いられる。コンデンサ１１の容量は、音声合成部１２により出力される音声信号の長さ、アンプ１３による増幅率、スピーカの種類などに応じて適宜変更することができる。
【００２９】
音声合成部１２は、音声信号を合成する。合成された音声信号はスピーカ８から出力される。発生音声は、予め記録されており、制御部１０からのトリガ信号により、音声信号を出力する。
【００３０】
本実施形態の音声通知装置１は、ケーシング５の正面に設けられている人感センサ９の検出端子が検知エリアを向くように配置し、太陽電池パネル３の角度を調整して設置する。本実施形態では、太陽電池パネル３に照射される光の照度が３０００ルクス程度であれば、十分に動作できる程度に構成されており、野外であれば天候に関係なく白昼時には動作可能である。太陽電池パネル３により発電された電力は、コンデンサ１１に蓄電されており、各ブロックは当該コンデンサ１１の電力を利用して動作する。
【００３１】
検知エリアに人が存在しない状態では、音声通知装置１は、スタンバイ状態となっており、人感センサ９からの出力信号をトリガとして、下記の動作を行なう。
【００３２】
検知エリアに人が浸入すると、人感センサ９がこれを検出し、制御部１０に信号を送信する。なお、人感センサ９に光センサと赤外線センサを共用した場合は、夜間に人物が検知エリアに浸入した場合に音声を発生させないようにすることができる。すなわち、工事現場など、作業員が出入りしない夜間に注意を喚起する必要もなく、また、太陽電池による蓄電も行なわれないことから、一定以上の明るさがある場合にのみ動作するようにしたものである。
【００３３】
人感センサ９からの出力信号を受けた制御部１０は、音声合成部１２に信号を送り、音声合成部１２に予め記憶されている音声信号の出力を行なう。音声合成部１２から出力された音声信号は、アンプ部１３により増幅され、予め設定された音量でスピーカから出力される。
【００３４】
スピーカ８からの音声再生が終了すると、制御部１０はスタンバイ状態に戻り、人感センサ９からの検出信号を受信すると上記動作を繰り返し行なう。
【００３５】
以上、本実施形態にかかる音声通知装置によれば、本体の赤外線センサを検出エリアに向け、さらに太陽電池パネルを光源方向に向けて設置するだけでよく、外部電源などを設ける必要がないため、設置の手間を簡単にすることができる。
【００３６】
（第２実施形態）
次に、本発明の第２実施形態にかかる音声通知装置について説明する。第２実施形態にかかる音声通知装置は、その構成を第１実施形態にかかる音声通知装置と共通にする部分があるため、以下、相違点を中心として説明する。
【００３７】
図３は、本発明の第２実施形態にかかる音声通知装置の全体概略図である。図４は、第２実施形態にかかる音声通知装置の分解図である。図３に示す音声通知装置２１は、箱状の本体２と人感センサの一例としての赤外線センサ２９とを備えており、これらがケーブル２４で接続された構成である。
【００３８】
音声通知装置２１の本体２２は、おおむね幅寸法が１０ｃｍ程度の厚み方向に扁平な箱形状のケーシング２５を備えている。図４に示すように、ケーシング２５は、有底容器状の箱形形状であり、後述する回路を収納する。また、ケーシング２５の底壁２６内面には、音声発生部の一例としての圧電ブザー２８が取り付けられている。
【００３９】
太陽電池パネル２３は、ケーシング２５の開口部分を密閉することができる寸法に構成されており、蓋として機能する。なお、太陽電池パネルのみでは十分に密閉できない場合は、ケーシングの内部にさらに密閉用の蓋体を別途設けてもよい。太陽電池パネルをケーシングに取り付けることで、例えば、ケーシング内部への水の浸入を防止することができ、内部の回路を保護することができる。
【００４０】
ケーシング２５に接続されたケーブル２４は、赤外線センサ２９に接続されている。赤外線センサ２９は、所定の検知エリア内の人体から放射される熱線を検知することで、人間の在否を検出する焦電型のセンサが用いられている。
【００４１】
図５に示すように、音声通知装置２１の本体２の裏面には、圧電ブザー２８及び本体２２を固定するための取付部材３０が設けられている。
【００４２】
圧電ブザー２８は、小型のものが用いられており、後述する内部回路により生成された信号に基づいて音声を発生する。圧電ブザー２８は、音声発生時の消費電力が小さく、太陽電池パネル２３の発電量が小さくても、長時間にわたり装置を動作させることができる。
【００４３】
取付部材３０は、本体２２を取り付けるための部材であり、特にその構成については限定されるものではない。ただし、本体の上面に設けられている太陽電池パネル２３へ光が効率よく入射できるように本体２２の取付角度を調整することができるように構成されていることが好ましい。
【００４４】
図６は、図３の音声通知装置の機能ブロック図である。音声通知装置２１には、本体２２のケーシング２５内部に、圧電ブザー２８、制御部３１、コンデンサ３２、アンプ部３３が設けられている。
【００４５】
制御部３１は、人感センサ２９からの検出信号を受信して、後述するとおり、装置全体の動作制御を行なう。本実施形態では、制御部３１は、集積回路で構成されており、予め動作プログラムが内部に記憶されている。
【００４６】
蓄電部の一例としてのコンデンサ３２は、太陽電池パネル２３により発電された電力を蓄積する。本実施形態で用いられているコンデンサ３２は、小型のものであり、静電容量としては、１Ｆ程度のものが好適に用いられる。コンデンサ３２の容量は、圧電ブザー２８の駆動電力が小さいため、第１実施形態のものと比較して容量を小さくすることができる。
【００４７】
本実施形態の音声通知装置２１は、赤外線センサ２９が検知エリアを向くように配置し、太陽電池パネル２３の角度を調整して本体２２を設置する。太陽電池パネル２３により発電された電力は、コンデンサ３２に蓄電されており、各ブロックは当該コンデンサ３２の電力を利用して動作する。
【００４８】
検知エリアに人が存在しない状態では、音声通知装置２１は、スタンバイ状態となっており、赤外線センサ２９からの出力信号をトリガとして、下記の動作を行なう。
【００４９】
検知エリアに人が浸入すると、赤外線センサ２９がこれを検出し、制御部３１に信号を送信する。これを受けた制御部３１は、音声信号を出力する。制御部３１から出力された音声信号は、アンプ部３３により増幅され、予め設定された音量で圧電ブザー２８から出力される。
【００５０】
圧電ブザー２８からの音声再生が終了すると、制御部３１はスタンバイ状態に戻り、赤外線センサ２９からの検出信号を受信すると上記動作を繰り返し行なう。
【００５１】
以上、本実施形態にかかる音声通知装置によれば、赤外線センサを検出エリアに向けて自由に設定することができ、さらに本体２２の表面に設けられている太陽電池パネルを光源方向に向けて設置するだけでよく、また、外部電源などを設ける必要がないため、設置の手間を簡単にすることができる。また、太陽電池パネル２３はケーシングの蓋としての機能を有し、水の浸入などを防止して内部に収納されている回路を保護することができる。
【００５２】
上記の通り、本発明の音声通知装置によれば、本体が小型に構成されているため、取り付けが簡易であり、また、太陽電池パネルと人感センサが自由な方向を向いて設置することができるため、検出エリアの設定及び太陽電池による電力の発生を効率よくすることができる。
【００５３】
なお、本発明は、上記実施形態に限定されるものではなく、その他種々の態様で実施可能である。たとえば、上記実施形態では音声発生部が設けられている本体に、太陽電池パネル及び人感センサのうちいずれか１つが搭載された例が開示されているが、双方とも本体に搭載せず、ケーブルを介して設けるようにしてもよい。
【００５４】
また、例えば、頻繁に人が通過するような場所などに設置する場合は、人感センサを設けることなく、予め設定されたタイミングで音声を発生させるように構成することもできる。
【００５５】
さらに、ケーシングの形状は、厚み方向に扁平な箱形形状に限らず、円型等の任意の形状を採用することができる。また、工事用足場などに取り付けるために細長い形状等にしてもよい。
【産業上の利用可能性】
【００５６】
本発明の音声通知装置は、人間が通過する通路などに設置して、当該通路を通る人間に音声による通知を行なうことで、広範な用途に利用することができる。
【符号の説明】
【００５７】
１、２１  音声通知装置
２、２２  本体
３、２３  太陽電池パネル
４、２４  ケーブル
５、２５  ケーシング
６  ケーシング正面
７、２７  ケーシング側面
８  スピーカ
９、２９  赤外線センサ
１０、３１  制御部
１１、３２  コンデンサ
１２  音声合成部
１３、３３  アンプ
２６  ケーシング底壁
２８  圧電ブザー
３０  取付部材
【図１】
2012003645.tif 000003
【図２】
2012003645.tif 000004
【図３】
2012003645.tif 000005
【図４】
2012003645.tif 000006
【図５】
2012003645.tif 000007
【図６】
2012003645.tif 000008